(57)【要約】      （修正有）【課題】地域の防犯力の向上に寄与可能な構成を備えたインターホンシステムを提供する。【解決手段】インターホンシステム１は、複数の居室親機２−１〜２−ｎと、複数の情報端末３−１〜３−ｎと、サーバ４と、複数の玄関子機５−１〜５−ｎと、を含む。複数の居室親機２−１〜２−ｎと、複数の情報端末３−１〜３−ｎとは、ネットワークＮを介して、外部ネットワーク上にあるサーバ４と通信可能である。複数の居室親機２−１〜２−ｎと、対応する複数の玄関子機５−１〜５−ｎとの間は、それぞれ信号線Ｌを介して通信可能に構成されている。【選択図】図１
2019146081.tif 000002
【特許請求の範囲】
【請求項１】
各住居に取り付けられ、それぞれが操作部とカメラとを有する複数の玄関子機と、
それぞれが、対応する前記玄関子機に関連付けられ、前記関連付けられた玄関子機と通信可能に構成される複数の居室親機と、
それぞれが、対応する前記玄関子機に関連付けられた複数の外部機器と、
記憶部を有し、前記複数の居室親機と前記複数の外部機器と通信可能である制御部と、を備え、
前記制御部は、
前記複数の玄関子機から前記玄関子機の識別情報および前記カメラによって撮像された画像データを前記それぞれ関連付けられた複数の居室親機を介して受信し、
前記複数の外部機器または前記複数の居室親機から前記関連付けられた玄関子機の前記カメラによって撮像された前記画像データの来訪者区分の情報を受信し、
前記画像データおよび対応する前記来訪者区分の情報を前記玄関子機の識別情報に関連付けて前記記憶部に記憶するように構成されている、インターホンシステム。
【請求項２】
前記制御部は、前記来訪者区分が不審者である前記画像データを、当該画像データの送信元の玄関子機とは異なる玄関子機に関連付けられた外部機器または居室親機へ送信する、請求項１に記載のインターホンシステム。
【請求項３】
前記外部機器または居室親機は、ユーザの入力により分類された、前記関連付けられた玄関子機とは異なる前記玄関子機の前記カメラによって撮像された前記画像データの前記来訪者区分の情報を前記制御部へ送信する、請求項２に記載のインターホンシステム。
【請求項４】
前記制御部は、前記記憶部に記憶された前記画像データに基づいて前記受信した前記画像データの認証を行い、
前記認証が成立しない場合に、前記画像データに対応する来訪者区分の情報を、前記画像データの送信元の玄関子機に関連付けられた前記外部機器または前記居室親機から受信する、請求項１から３のいずれか一項に記載のインターホンシステム。
【請求項５】
前記制御部は、前記記憶部に記憶された前記画像データに基づいて前記受信した前記画像データの認証を行い、
前記認証が成立した場合に、前記記憶部に記憶された前記画像データの来訪者区分の情報を前記居室親機を介して前記画像データの送信元の玄関子機に送信し、
前記画像データの送信元の玄関子機は、前記受信した画像データの来訪者区分の情報に応じて、所定の動作をする、請求項１から４のいずれか一項に記載のインターホンシステム。
【請求項６】
各住居に取り付けられ、それぞれが操作部とカメラとを有する複数のドアベルと、
それぞれが、対応する前記複数のドアベルに関連付けられた複数の外部機器と、
記憶部を有し、前記複数のドアベルと前記複数の外部機器と通信可能である制御部と、を備え、
前記制御部は、
前記複数のドアベルから前記ドアベルの識別情報および前記カメラによって撮像された画像データをそれぞれ受信し、
前記複数の外部機器から前記関連付けられたドアベルの前記カメラによって撮像された前記画像データの来訪者区分の情報をそれぞれ受信し、
前記画像データおよび対応する前記来訪者区分の情報を前記ドアベルの識別情報に関連付けて前記記憶部に記憶するように構成されている、ドアベルシステム。
【請求項７】
前記制御部は、前記来訪者区分が不審者である前記画像データを、当該画像データの送信元のドアベルとは異なるドアベルに関連付けられた外部機器へ送信する、請求項６に記載のドアベルシステム。
【請求項８】
前記外部機器は、ユーザの入力により分類された、前記関連付けられたドアベルとは異なる前記ドアベルの前記カメラによって撮像された前記画像データの前記来訪者区分の情報を前記制御部へ送信する、請求項７に記載のドアベルシステム。
【請求項９】
前記制御部は、前記記憶部に記憶された前記画像データに基づいて前記受信した前記画像データの認証を行い、
前記認証が成立しない場合に、前記画像データに対応する来訪者区分の情報を、前記画像データの送信元のドアベルに関連付けられた前記外部機器から受信する、請求項６から８のいずれか一項に記載のドアベルシステム。
【請求項１０】
前記制御部は、前記記憶部に記憶された前記画像データに基づいて前記受信した前記画像データの認証を行い、
前記認証が成立した場合に、前記記憶部に記憶された前記画像データの来訪者区分の情報を、前記画像データの送信元のドアベルに送信し、
前記画像データの送信元のドアベルは、前記受信した画像データの来訪者区分の情報に応じて、所定の動作をする、請求項６から９のいずれか一項に記載のドアベルシステム。
【発明の詳細な説明】
【技術分野】
【０００１】
本発明は、インターホンシステムおよびドアベルシステムに関する。
【背景技術】
【０００２】
スピーカと、マイクと、カメラと、操作部とを備えた玄関子機と、玄関子機と通信可能に構成され且つ遠隔配置されるコンピューティング・デバイスと無線通信可能な居室親機とを有するインターホンシステムが知られている（特許文献１等参照）。また、スピーカと、マイクと、カメラと、操作部とを備え、遠隔配置されるコンピューティング・デバイスと無線通信可能なＷＩＦＩドアベルが知られている（特許文献２等参照）。
【先行技術文献】
【特許文献】
【０００３】
【特許文献１】特開２０１７−９２７２６号公報
【特許文献２】米国特許第９０９４５８４号明細書
【特許文献３】米国特許第８８７２９１５号明細書
【特許文献４】米国特許第９２３７３１８号明細書
【特許文献５】米国特許第８１４４１８３号明細書
【特許文献６】米国特許第９４３２６３８号明細書
【特許文献７】米国特許第９４８５４７８号明細書
【特許文献８】米国特許第９５１６２８４号明細書
【発明の概要】
【発明が解決しようとする課題】
【０００４】
近年は、核家族などが増え、地域の防犯力が弱まっていると言われている。一方で、不審者による犯罪は無くならないのが現状であり、地域の防犯力の向上が期待されている。
【０００５】
そこで、本発明は、地域の防犯力の向上に寄与可能な構成を備えたインターホンシステムおよびドアベルシステムを提供することを目的とする。
【課題を解決するための手段】
【０００６】
上記目的を達成するために、本発明のインターホンシステムは、
各住居に取り付けられ、それぞれが操作部とカメラとを有する複数の玄関子機と、
それぞれが、対応する前記玄関子機に関連付けられ、前記関連付けられた玄関子機と通信可能に構成される複数の居室親機と、
それぞれが、対応する前記玄関子機に関連付けられた複数の外部機器と、
記憶部を有し、前記複数の居室親機と前記複数の外部機器と通信可能である制御部と、を備え、
前記制御部は、
前記複数の玄関子機から前記玄関子機の識別情報および前記カメラによって撮像された画像データを前記それぞれ関連付けられた複数の居室親機を介して受信し、
前記複数の外部機器または前記複数の居室親機から前記関連付けられた玄関子機の前記カメラによって撮像された前記画像データの来訪者区分の情報を受信し、
前記画像データおよび対応する前記来訪者区分の情報を前記玄関子機の識別情報に関連付けて前記記憶部に記憶するように構成されている。
【０００７】
上記構成によれば、各玄関子機のカメラによって撮像された画像データおよびその来訪者区分の情報を制御部の記憶部に記憶することにより、複数の玄関子機に関連する情報を一括管理することができ、地域の防犯力の向上に寄与可能な構成を備えたインターホンシステムを提供することができる。
【０００８】
また、上記インターホンシステムにおいて、
前記制御部は、前記来訪者区分が不審者である前記画像データを、当該画像データの送信元の玄関子機とは異なる玄関子機に関連付けられた外部機器または居室親機へ送信してもよい。
【０００９】
上記構成によれば、異なる玄関子機のユーザが不審者として分類した画像データを確認することができるため、地域防犯力の向上に役立たせることができる。
【００１０】
また、上記インターホンシステムにおいて、
前記外部機器または居室親機は、ユーザの入力により分類された、前記関連付けられた玄関子機とは異なる前記玄関子機の前記カメラによって撮像された前記画像データの前記来訪者区分の情報を前記制御部へ送信してもよい。
【００１１】
上記構成によれば、異なる玄関子機のユーザが不審者として分類した画像データを所定の来訪者区分に分類できるため、ユーザの状況に応じて適切な来訪者区分に分類することができる。
【００１２】
また、上記インターホンシステムにおいて、
前記制御部は、前記記憶部に記憶された前記画像データに基づいて前記受信した前記画像データの認証を行い、
前記認証が成立しない場合に、前記画像データに対応する来訪者区分の情報を、前記画像データの送信元の玄関子機に関連付けられた前記外部機器または前記居室親機から受信しても良い。
【００１３】
上記構成によれば、カメラで撮像された画像データに対して認証を行い、認証が成立しない場合に外部機器または前記居室親機から来訪者区分の情報を受信することにより、例えば、玄関子機のユーザは、初めての来訪者に対して来訪者区分の分類を行えばよいため、効率的に分類作業を行うことができる。
【００１４】
また、上記インターホンシステムにおいて、
前記制御部は、前記記憶部に記憶された前記画像データに基づいて前記受信した前記画像データの認証を行い、
前記認証が成立した場合に、前記記憶部に記憶された前記画像データの来訪者区分の情報を前記居室親機を介して前記画像データの送信元の玄関子機に送信し、
前記画像データの送信元の玄関子機は、前記受信した画像データの来訪者区分の情報に応じて、所定の動作をしても良い。
【００１５】
上記構成によれば、カメラで撮像された画像データに対して認証を行い、認証が成立した場合には、画像データの送信元の玄関子機が、来訪者区分の情報に基づいて所定の動作を行うことにより、例えば、玄関子機のユーザが外部機器または前記居室親機を介して応答操作することなく来訪者に対して応答ができ、インターホンシステムの利便性が向上する。
【００１６】
また、上記目的を達成するために、本発明のドアベルシステムは、
各住居に取り付けられ、それぞれが操作部とカメラとを有する複数のドアベルと、
それぞれが、対応する前記複数のドアベルに関連付けられた複数の外部機器と、
記憶部を有し、前記複数のドアベルと前記複数の外部機器と通信可能である制御部と、を備え、
前記制御部は、
前記複数のドアベルから前記ドアベルの識別情報および前記カメラによって撮像された画像データをそれぞれ受信し、
前記複数の外部機器から前記関連付けられたドアベルの前記カメラによって撮像された前記画像データの来訪者区分の情報をそれぞれ受信し、
前記画像データおよび対応する前記来訪者区分の情報を前記ドアベルの識別情報に関連付けて前記記憶部に記憶するように構成されている。
【００１７】
上記構成によれば、各ドアベルのカメラによって撮像された画像データおよびその来訪者区分の情報を制御部の記憶部に記憶することにより、複数のドアベルに関連する情報を一括管理することができ、地域の防犯力の向上に寄与可能な構成を備えたドアベルシステムを提供することができる。
【００１８】
また、上記ドアベルシステムにおいて、
前記制御部は、前記来訪者区分が不審者である前記画像データを、当該画像データの送信元のドアベルとは異なるドアベルに関連付けられた外部機器へ送信してもよい。
【００１９】
上記構成によれば、異なるドアベルのユーザが不審者として分類した画像データを確認することができるため、地域防犯力の向上に役立たせることができる。
【００２０】
また、上記ドアベルシステムにおいて、
前記外部機器は、ユーザの入力により分類された、前記関連付けられたドアベルとは異なる前記ドアベルの前記カメラによって撮像された前記画像データの前記来訪者区分の情報を前記制御部へ送信してもよい。
【００２１】
上記構成によれば、異なるドアベルのユーザが不審者として分類した画像データを所望の来訪者区分に分類できるため、ユーザの状況に応じて適切な来訪者区分に分類することができる。
【００２２】
また、上記ドアベルシステムにおいて、
前記制御部は、前記記憶部に記憶された前記画像データに基づいて前記受信した前記画像データの認証を行い、
前記認証が成立しない場合に、前記画像データに対応する来訪者区分の情報を、前記画像データの送信元のドアベルに関連付けられた前記外部機器から受信しても良い。
【００２３】
上記構成によれば、カメラで撮像された画像データに対して認証を行い、認証が成立しない場合に外部機器から来訪者区分の情報を受信することにより、例えば、ドアベルのユーザは、初めての来訪者に対して来訪者区分の分類を行えばよいため、効率的に分類作業を行うことができる。
【００２４】
また、上記ドアベルシステムにおいて、
前記制御部は、前記記憶部に記憶された前記画像データに基づいて前記受信した前記画像データの認証を行い、
前記認証が成立した場合に、前記記憶部に記憶された前記画像データの来訪者区分の情報を、前記画像データの送信元のドアベルに送信し、
前記画像データの送信元のドアベルは、前記受信した画像データの来訪者区分の情報に応じて、所定の動作をしても良い。
【００２５】
上記構成によれば、カメラで撮像された画像データに対して認証を行い、認証が成立した場合には、画像データの送信元のドアベルが、来訪者区分の情報に基づいて所定の動作を行うことにより、例えば、ドアベルのユーザが外部機器を介して応答操作することなく来訪者に対して応答ができ、ドアベルシステムの利便性が向上する。
【発明の効果】
【００２６】
本発明によれば、地域の防犯力の向上に寄与可能な構成を備えたインターホンシステムおよびドアベルシステムを提供することができる。
【図面の簡単な説明】
【００２７】
【図１】本発明の第１実施形態に係るインターホンシステムの構成を示す図である。
【図２】図１のインターホンシステムが備える居室親機および玄関子機の構成を示す機能ブロック図である。
【図３】図１のインターホンシステムが備える情報端末の構成を示す図である。
【図４】図１のインターホンシステムが備えるサーバの記憶部に記憶される来訪者フォルダの一例を示す図である。
【図５】図１のインターホンシステムが備えるサーバの記憶部に記憶される来訪者テーブルの一例を示す図である。
【図６】図１のインターホンシステムにより実行される来訪者区分分類機能の動作を説明するためのフローチャートである。
【図７】図１のインターホンシステムにより実行される不審者情報共有化機能の動作を説明するためのフローチャートである。
【図８】本発明の第２実施形態に係るドアベルシステムの構成を示す図である。
【図９】図８のドアベルシステムが備えるドアベルの構成を示す機能ブロック図である。
【図１０】図８のドアベルシステムが備えるサーバの記憶部に記憶される来訪者フォルダの一例を示す図である。
【図１１】図８のドアベルシステムにより実行される来訪者区分分類機能の動作を説明するためのフローチャートである。
【発明を実施するための形態】
【００２８】
以下、本実施形態について、添付の図面を参照して説明する。
【００２９】
（第１実施形態）
図１は、第１実施形態に係るインターホンシステムの構成を示す図である。
図１に示すように、インターホンシステム１は、複数の居室親機２−１〜２−ｎと、複数の情報端末３−１〜３−ｎ（外部機器の一例）と、サーバ４と、複数の玄関子機５−１〜５−ｎと、を含む。複数の居室親機２−１〜２−ｎと、複数の情報端末３−１〜３−ｎとは、ネットワークＮを介して、外部ネットワーク上にあるサーバ４と通信可能である。各居室親機２−１〜２−ｎおよび各情報端末３−１〜３−ｎとネットワークＮとを中継する通信機器としては、例えば、Ｗｉ−Ｆｉルータが用いられ得る。複数の居室親機２−１〜２−ｎと、対応する複数の玄関子機５−１〜５−ｎとの間は、それぞれ信号線Ｌを介して通信可能に構成されている。以下では、複数の居室親機２−１〜２−ｎのうち居室親機２−１（以下、居室親機２と称する）について代表して説明する。また、複数の情報端末３−１〜３−ｎのうち情報端末３−１（以下、情報端末３と称する）について代表して説明する。また、複数の玄関子機５−１〜５−ｎのうち玄関子機５−１（以下、玄関子機５と称する）について代表して説明する。
【００３０】
図２は、居室親機２および玄関子機５の構成を示す機能ブロック図である。
玄関子機５は、来訪者が居住者を呼び出して通話するためなどに用いられるものであり、例えば各建物（戸建住戸など）の玄関等に設置されている。本例では、複数の玄関子機５−１〜５−ｎは、ある所定の範囲（所定の地域）内にある各建物の玄関に設置されているものとする。各玄関子機５は、取り付けられる建物の電力システムと所定の配線により電気的に接続されることで、当該電力システムから電力が供給される。なお、玄関子機５は、バックアップおよび／または一次電源用の電池を含んでも良い。居室親機２は、玄関子機５からの来訪者による呼び出しに対して応答するためなどに用いられるものであり、例えば各建物（戸建住戸など）の居室内に設置されている。
【００３１】
図２に示すように、玄関子機５は、制御部５１と、操作部（呼出ボタン）５２と、マイク５３と、スピーカ５４と、人感センサ５５と、カメラ５６と、画像処理部５７と、位置情報取得部５８と、インターフェース回路（以下、インターフェース回路を「Ｉ／Ｆ」と称す）５９とを備えている。
【００３２】
制御部５１は、玄関子機５の各部の動作を制御するための制御部であり、例えば、１以上のプロセッサと１以上のメモリを含む少なくとも一つのマイクロコントローラと、トランジスタ等のアクティブ素子およびパッシブ素子を含むその他電子回路から構成されている。また、制御部５１は、集積回路（ハードウェア資源）によって構成されてもよく、少なくとも一つのマイクロコントローラと集積回路との組み合わせによって構成されてもよい。
【００３３】
操作部５２は、来訪者の各種入力操作を受け付ける。各種入力操作には、例えば、居住者の呼出等が含まれる。操作部５２は、制御部５１を介して、カメラ２６に接続されている。操作部５２は、呼出の入力操作がなされたことを知らせる呼出信号をカメラ５６へ出力する。マイク５３およびスピーカ５４は、居住者（本例では、玄関子機５が設置された建物の居室内に設置された居室親機２や居住者が所有する情報端末３）に向けて来訪者側のメッセージ等の音声データを送出したり、来訪者に向けて居住者側のメッセージ等の音声データを出力するための通話部を構成する。
【００３４】
人感センサ５５は、玄関子機５の前方にいる人物を感知するためのセンサであり、例えば赤外線センサで構成されている。人感センサ５５は、制御部５１を介して、カメラ５６に接続されている。人感センサ５５は、人物を感知したことを知らせる検出信号をカメラ５６へ出力する。
【００３５】
カメラ５６は、来訪者等の人物を撮像するための撮像機器である。カメラ５６は、ウェブカメラであるビデオカメラとして構成しても良い。例えば、カメラ５６は、人感センサ５５から出力される検出信号に基づいて起動する。あるいは、操作部５２から出力される呼出信号に基づいて起動する。カメラ５６が撮像した画像は、画像処理部５７へ出力される。画像処理部５７は、例えば、プロセッサとメモリから構成されており、制御部５１の制御信号に基づいて、カメラ５６から取得した画像データを、Ｉ／Ｆ５９を介して居室親機２へ送信する。
【００３６】
位置情報取得部５８は、玄関子機５の位置情報を取得するように構成されている。位置情報は、例えば、ＧＰＳ（Ｇｌｏｂａｌ  Ｐｏｓｉｔｉｏｎｉｎｇ  Ｓｙｓｔｅｍ）を用いて取得される。なお、玄関子機５を建物に設置する際の初期設定時に、居住者によって、玄関子機５の位置情報が位置情報取得部５８に予め登録されてもよい。制御部５１は、位置情報取得部５８により取得された位置情報を、玄関子機５の識別情報と共に、居室親機２へ送信するように構成されている。なお、玄関子機５の位置情報が更新された場合には、制御部５１は、更新された位置情報を、居室親機２へ送信し得る。
【００３７】
Ｉ／Ｆ５９は、信号線Ｌを介して、居室親機２と通信可能である。制御部５１は、Ｉ／Ｆ５９を介して、居室親機２との間で所定のデータ（例えば、音声データや画像データ）の送受信を行う。このように、玄関子機５は、居室親機２に対して所定のデータ（例えば、音声データや画像データ）を送信し、居室親機２や情報端末３のユーザとの間での双方向音声通話等による通信を開始することができる。
【００３８】
居室親機２は、制御部２１と、操作部（応答ボタン）２２と、マイク２３と、スピーカ２４と、表示部２５、玄関子機用Ｉ/Ｆ２６と、サーバ用Ｉ/Ｆ２７と、記憶部２８と、を備えている。
【００３９】
制御部２１は、居室親機２の各部の動作を制御するための制御部であり、例えば、１以上のプロセッサと１以上のメモリを含む少なくとも一つのマイクロコントローラと、トランジスタ等のアクティブ素子およびパッシブ素子を含むその他電子回路から構成されている。また、制御部２１は、集積回路（ハードウェア資源）によって構成されてもよく、少なくとも一つのマイクロコントローラと集積回路との組み合わせによって構成されてもよい。
【００４０】
操作部２２は、居住者の各種入力操作を受け付ける。各種入力操作には、例えば、玄関子機５からの呼出に対する応答操作等が含まれる。マイク２３及びスピーカ２４は、居住者が来訪者との間で通話をする際に、音声データを入出力するための通話部を構成する。表示部２５は、玄関子機５が備えるカメラ５６で撮像された来訪者等の映像（静止画または動画）を表示する。玄関子機用Ｉ／Ｆ２６は、信号線Ｌを介して、玄関子機５と通信可能である。制御部２１は、玄関子機用Ｉ／Ｆ２６を介し、玄関子機５との間で所定のデータ（例えば、音声データや画像データ）の送受信を行う。
【００４１】
サーバ用Ｉ／Ｆ２７は、ネットワークＮを介して、サーバ４と通信可能である。具体的には、サーバ用Ｉ／Ｆ２７は、無線ローカルエリアネットワーク（ＬＡＮ）、ラジオ、セルラー、インターネット、Ｂｌｕｅｔｏｏｔｈ（登録商標）、電磁波、赤外線光、音波、およびマイクロ波等のネットワーク通信手段により、サーバ４と通信可能である。このように、居室親機２は、サーバ４に対して所定のデータ（例えば、音声データや画像データ）を送信し、居室親機２のユーザと、情報端末３のユーザとの間での双方向音声通話等による通信を開始することができる。また、居室親機２は、玄関子機用Ｉ／Ｆ２６を介して取得した玄関子機５の所定のデータ（例えば、音声データや画像データ）をサーバ４へ送信し、来訪者と、情報端末３のユーザとの間での双方向音声通話等による通信を開始することができる。なお、居室親機２のサーバ用Ｉ／Ｆ２７は、情報端末３と直接通信可能に構成されてもよい。
【００４２】
記憶部２８は、例えば、ＲＯＭとＲＡＭを含むメモリから構成されている。制御部２１は、玄関子機５から送信されたデータ（例えば、画像データや音声データ）を記憶部２８へ記憶するとともに、当該データをサーバ４へ送信可能である。また、制御部２１は、サーバ４から送信されたデータ（情報端末３から送信されたデータ）を記憶部２８へ記憶するとともに、当該データを玄関子機５へ送信可能である。このように、居室親機２は、所定のデータ（例えば、音声データや画像データ）を、玄関子機５およびサーバ４（サーバ４を介して情報端末３）との間で送受信することにより、玄関子機５が設置された建物への来訪者と情報端末３のユーザとの間での双方向音声通話等による通信を開始することができる。
【００４３】
また、記憶部２８は、玄関子機５の初期設定時や更新時に送信された玄関子機５の識別情報を記憶している。
【００４４】
図３は、情報端末３の構成を示す図である。
情報端末３は、玄関子機５からの呼び出しに、玄関子機５が設置された住居の居住者（ユーザ）が応答するためなどに用いられる機器である。情報端末３は、例えば、居住者が所有するスマートフォン、タブレットコンピュータ、およびその他の携帯情報端末を含む。玄関子機５と情報端末３とは、居室親機２およびサーバ４を介して通信可能である。
【００４５】
情報端末３は、図３に示すように、所定のユーザ・インターフェース３２を表示可能な表示部３０を有している。表示部３０は、液晶ディスプレイ、有機ＥＬディスプレイ等のタッチスクリーン型のディスプレイであって、画像（操作画像等）を表示するように構成されている。情報端末３は、プロセッサとメモリを備えており、玄関子機５から送信されたデータ（例えば、画像データや音声データ）に基づいて、所定のコンピュータソフトウェア（例えば、音声通話および画像表示用のアプリケーションソフトウェア）を実行する。例えば、情報端末３は、表示部３０上に表示されるユーザ・インターフェース３２への入力に基づいて所定のアプリケーションソフトウェアを実行することができる。ユーザ・インターフェース３２は、玄関子機５が備えるカメラ５６により撮像された前方領域の画像データに基づいて、静止画または動画の表示画像が表示される画像表示部３４を含む。また、ユーザ・インターフェース３２は、来訪者の呼出に応答することをユーザに許可させるための応答許可受付部３６を含む。ユーザが、応答許可受付部３６をタッチすることで、来訪者の呼出に応答するために、双方向音声通信が開始される。また、ユーザ・インターフェース３２は、画像表示部３４に表示された表示画像の録画をユーザに選択させるための録画受付部３８を含む。ユーザが、当該録画受付部３８をタッチすることで、画像表示部３４に表示される表示画像の録画が可能である。また、ユーザ・インターフェース３２は、画像表示部３４に表示された表示画像の人物の来訪者の区分をユーザに分類・選択させるための来訪者区分選択部３９を含む。ユーザが、当該来訪者区分選択部３９をタッチすることで、画像表示部３４に表示される表示画像の人物を、所定の来訪者区分に分類選択可能である。例えば、ユーザが、来訪者区分選択部３９の欄に、来訪者区分を文字で入力する、あるいは、複数の来訪者区分候補リストの中から所望の来訪者区分を選択することが可能である。
【００４６】
図２に示すように、サーバ４は、記憶部４０と、制御部４２とを備えている。記憶部４０は、例えば、ＲＯＭとＲＡＭを含むメモリから構成されている。制御部４２は、例えば、１以上のプロセッサと１以上のメモリを含む少なくとも一つのマイクロコントローラと、トランジスタ等のアクティブ素子およびパッシブ素子を含むその他電子回路から構成されている。また、制御部４２は、集積回路（ハードウェア資源）によって構成されてもよく、少なくとも一つのマイクロコントローラと集積回路との組み合わせによって構成されてもよい。
【００４７】
制御部４２は、居室親機２から送信されたデータ（例えば、画像データや音声データ）を記憶部４０へ記憶するとともに、当該データを情報端末３へ送信可能である。また、制御部４２は、情報端末３から送信されたデータを記憶部４０へ記憶するとともに、当該データを居室親機２へ送信可能である。このように、サーバ４は、所定のデータ（例えば、音声データや画像データ）を、居室親機２および情報端末３との間で送受信することにより、居室親機２のユーザと情報端末３のユーザとの間での双方向音声通話等による通信を開始することができる。また、所定のデータが玄関子機５から送信されたデータの場合には、玄関子機５が設置された建物への来訪者と情報端末３のユーザとの間での双方向音声通話等による通信を開始することができる。なお、上述の通り、サーバ４を介さずに、居室親機２と情報端末３との間でデータを送受信しても良い。
【００４８】
また、記憶部４０には、各玄関子機５に対応した来訪者フォルダが記憶されている（図４参照）。来訪者フォルダは、来訪者区分（例えば、新規、家族、知人、業者、不審者）に対応する複数のサブフォルダを有している。各サブフォルダには、玄関子機５のユーザが情報端末３の来訪者区分選択部３９を介して来訪者区分に分類・選択した画像データが記憶されている。制御部４２は、居室親機２を介して玄関子機５から受信したデータおよび対応する情報端末３から受信した来訪者区分の情報に基づいて、記憶部４０に記憶されている来訪者フォルダを更新する。
【００４９】
来訪者フォルダの代わりに、各玄関子機５に対応する来訪者テーブルが記憶されていてもよい（図５参照）。来訪者テーブルは、画像データと、この画像データの来訪者区分の情報とが含まれている。
【００５０】
また、制御部４２は、ある玄関子機５に対応する「不審者」のサブフォルダに画像データが含まれている場合には、他の玄関子機５のユーザ（例えば、居室親機２や情報端末３）に画像データを含む不審者情報を送信する。これにより、玄関子機のユーザは、他の玄関子機５のカメラ５６により撮像され不審者として分類された画像データを確認することができ、必要に応じて、該画像データを来訪者区分に分類・選択し、自己の来訪者フォルダに記憶することができる。
【００５１】
次に、図６を参照して、インターホンシステム１により実行される来訪者区分分類機能の動作について説明する。なお、以下では、呼び出しに対する応答操作および来訪者区分の分類・選択動作は、情報端末３のユーザが行う例について説明する。
【００５２】
まず、玄関子機５の制御部５１は、操作部５２による来訪者からの呼出操作がなされたか否かを判定する（ステップＳ１）。ステップＳ１において、来訪者からの呼出操作がなされたと判定した場合（ステップＳ１のＹｅｓ）、制御部５１は、呼出信号をカメラ５６へ出力し、カメラ５６は、玄関子機５の前方領域（具体的には、来訪者）の撮像を開始する（ステップＳ２）。なお、人感センサ５５が来訪者を感知したと判定した場合も同様に、制御部５１は、検知信号をカメラ５６へ出力し、カメラ５６は、玄関子機５の前方領域の撮像を開始する。
【００５３】
次に、カメラ５６は、撮像した画像データを画像処理部５７へ送信する（ステップＳ３）。制御部５１は、画像処理部５７が受信した画像データをＩ／Ｆ５９を介して居室親機２に送信する（ステップＳ４）。なお、制御部５１は、来訪者側のメッセージ等の音声データがある場合には、音声データは画像データと共に居室親機２へ送信する。また、玄関子機５の初期設定や更新時に識別情報を居室親機２の記憶部２８に登録していない場合には、制御部５１は、画像データ等とともに玄関子機５の識別情報を居室親機２へ送信してもよい。
【００５４】
居室親機２の制御部２１は、玄関子機５から受信したデータ（例えば、画像データおよび音声データ）を、記憶部２８に記憶された玄関子機５の識別情報とともに、サーバ用Ｉ／Ｆ２７を介してサーバ４へ送信する（ステップＳ５）。次に、サーバ４の制御部４２は、居室親機２から受信したデータ（例えば、画像データおよび音声データ）を情報端末３へ送信する（ステップＳ６）。情報端末３のユーザは、サーバ４の制御部４２から受信したデータに対して、ユーザ・インターフェース３２を介して所定の応答操作（例えば、通話や電気錠の解錠）を行う（ステップＳ７）。
【００５５】
次に、サーバ４の制御部４２は、居室親機２から受信した玄関子機５のカメラ５６で撮像された画像データの人物がすでに来訪者区分に分類されているか否かを判定する（ステップＳ８）。例えば、玄関子機５のカメラ５６で撮像された画像データと記憶部４０に記憶された来訪者フォルダの各来訪者区分に対応するサブフォルダに記憶されている画像データと比較し、顔認証を行う。ステップＳ８において、画像データに含まれる人物が来訪者区分に分類されていないと判定された場合には（ステップＳ８のＮｏ）、制御部４２は、玄関子機５のカメラ５６で撮像された画像データを、「新規」のサブフォルダに記憶する（ステップＳ９）。情報端末３のユーザは、ステップＳ７において、所定の応答操作が終了すると、サーバ４の制御部４２に「新規」のサブフォルダに記憶された画像データの送信を要求する要求信号を送信する（ステップＳ１０）。サーバ４の制御部４２は、情報端末３からの画像データ送信要求信号に基づいて「新規」のサブフォルダに記憶された画像データを情報端末３へ送信する（ステップＳ１１）。なお、画像データ自体ではなく画像データのアドレス情報を送信してもよい。
【００５６】
情報端末３のユーザは、サーバ４から受信した画像データを、ユーザ・インターフェース３２の来訪者区分選択部３９により来訪者区分に分類・選択し（ステップＳ１２）、当該来訪者区分の情報をサーバ４へ送信する（ステップＳ１３）。次に、サーバ４の制御部４２は、情報端末３から受信した来訪者区分の情報に基づいて「新規」のサブフォルダに記憶されている画像データを、所定の来訪者区分のサブフォルダに移動させる（ステップＳ１４）。なお、来訪者フォルダの代わりに、図５の来訪者テーブルを用いる場合には、サーバ４の制御部４２は、ステップＳ１１において、来訪者テーブルの来訪者区分が「新規」である画像データを情報端末３へ送信し、ステップＳ１４において、情報端末３から受信した来訪者区分の情報に基づいて来訪者区分を「新規」から所定の来訪者区分に書き換える。
【００５７】
なお、Ｓ７，Ｓ１０，Ｓ１２，Ｓ１３における所定の応答操作および来訪者区分の分類・選択については、上述のように、情報端末３のユーザが行っているが、これに限定されず、居室親機２のユーザが行ってもよい。この場合、居室親機２のユーザは、表示部２５に表示される来訪者区分選択部を操作することにより、所定の来訪者区分に分類・選択することができる。
【００５８】
また、情報端末３のユーザは、ステップＳ７において、所定の応答操作を行った後に、サーバ４の記憶部４０に記憶された新規のサブフォルダの画像データを取得して、所定の来訪者区分に分類していたが、これに限定されない。例えば、情報端末３のユーザは、呼出時（所定の応答操作を行う前）に、画像データを所定の来訪者区分に分類・選択して来訪者区分の情報をサーバ４へ送信してもよい。この場合には、サーバ４の制御部４２は、ステップＳ９において、画像データを「新規」のサブフォルダに記憶する代わりに、情報端末３から受信した来訪者区分の情報に基づいて、所定の来訪者区分のサブフォルダに記憶させてもよい。この場合、ステップＳ１０、Ｓ１１、Ｓ１４の動作は不要となる。
【００５９】
また、ステップＳ１０、Ｓ１１において、サーバ４の制御部４２は、情報端末３からの要求信号に基づいて画像データを送信しているが、情報端末３からの要求信号なしに、所定の期間経過後に、情報端末３に「新規」のサブフォルダに記憶された画像データを送信してもよい。
【００６０】
また、サーバ４の制御部４２は、ステップＳ８において、画像データに含まれる人物が来訪者区分に分類されていると判定した場合には（ステップＳ８のＹｅｓ）、画像データの来訪者区分の情報を、居室親機２を介して玄関子機５へ送信してもよい。これにより、玄関子機５は、来訪者区分の情報に応じて所定の動作を行うことができる。例えば、来訪者区分が「知人」であれば「Ａさん、お待ちしておりました」や、来訪者区分が「不審者」であれば「呼び出すことはできません、お引取りください」といったメッセージを玄関子機５のスピーカ５４から出力することができる。
【００６１】
また、サーバ４の制御部４２は、ステップＳ６において、居室親機２から受信したデータを情報端末３へ送信しているが、ステップＳ８での判定結果に基づいて、居室親機２から受信したデータを情報端末３へ送信してもよい。例えば、ステップＳ８の判定を行い、玄関子機５のカメラ５６で撮像された画像データが来訪者フォルダの「不審者」のサブフォルダに記憶されている画像データであると判定した場合には、情報端末３にデータを送信しないように構成してもよい。このように、来訪者区分が「不審者」の場合に、情報端末３での呼び出しに対する応答操作を行わない構成とすることにより、不審者の呼び出しを防止することが可能となる。
【００６２】
次に、図７を参照して、インターホンシステム１により実行される不審者情報共有化機能の動作について説明する。なお、以下では、来訪者区分の分類・選択動作は、情報端末３のユーザが行う例について説明する。
【００６３】
まず、サーバ４の制御部４２は、記憶部４０に記憶されている、ある所定の範囲（所定の地域）内に設置された複数の玄関子機５−１〜５−ｎの来訪者フォルダの「不審者」のサブフォルダに記憶されている画像データを他の玄関子機５のユーザ（他の玄関子機５に対応する情報端末３）へ送信済みか否かを判定する（ステップＳ２１）。例えば、制御部４２は、定期的に、各玄関子機５の「不審者」のサブフォルダを確認し、その中に記憶されている画像データがすでに他の玄関子機５の対応する情報端末３へ送付済みか否かを判定する。
【００６４】
ステップＳ２１において、「不審者」のサブフォルダに記憶された画像データが他の玄関子機５に対応する情報端末３へ送信されていないと判定した場合（ステップＳ２１のＹｅｓ）、制御部４２は、画像データを含む不審者情報を、他の玄関子機５に対応する情報端末３に送信する（ステップＳ２２）。例えば、ある所定の範囲を愛知県瀬戸市に設定し、瀬戸市内に設置された複数の玄関子機５−１〜５−ｎのうち、玄関子機５−１の「不審者」のサブフォルダに記憶された画像データが他の玄関子機５−２〜５−ｎに対応する情報端末３−２〜３−ｎに送信されていない場合には、制御部４２は、玄関子機５−２〜５−ｎに対応する情報端末３−２〜３−ｎに、画像データを含む不審者情報を送信する。
【００６５】
画像データを含む不審者情報を受信した情報端末３のユーザは、受信した画像データを自身の来訪者フォルダに登録・記憶するか否かを判断する（ステップＳ２３）。自身の来訪者フォルダに登録・記憶する場合には（ステップＳ２３のＹｅｓ）、情報端末３のユーザは、来訪者区分選択部３９を操作することにより、所定の来訪者区分に分類・選択する（ステップＳ２４）。次に、情報端末３のユーザは、分類した来訪者区分の情報をサーバ４の制御部４２へ送信する（ステップＳ２５）。
【００６６】
サーバ４の制御部４２は、情報端末３から受信した来訪者区分の情報に基づいて、送信元の情報端末３に対応する玄関子機５の来訪者フォルダの所定の来訪者区分のサブフォルダに画像データを記憶する（ステップＳ２６）。これにより、玄関子機５のユーザは、他の玄関子機５のユーザが不審者として分類した不審者情報を確認することができ、また、必要であれば、自分の判断基準で、画像データを来訪者区別に分類することができる。たとえば、不審者情報に含まれる画像データが業者の画像データであると判断した場合には、自身の「業者」のサブフォルダに登録・記憶することができる。
【００６７】
なお、来訪者区分の分類については、上述のように、情報端末３のユーザが行っているが、これに限定されず、居室親機２のユーザが行ってもよい。この場合、サーバ４の制御部４２は、画像データを含む不審者情報を、他の玄関子機５に対応する居室親機２に送信する。居室親機２のユーザは、表示部２５に表示される来訪者区分選択部を操作することにより、所定の来訪者区分に分類・選択することができる。
【００６８】
なお、ステップＳ２１において、制御部４２は「不審者」のサブフォルダに他の玄関子機５の情報端末３に未送信の画像データが含まれているか否かを判定しているが、これに限られない。例えば、玄関子機５のユーザが「不審者」のサブフォルダに画像データを登録したときに、他の玄関子機に対応する情報端末に画像データを含む不審者情報を送信してもよい。
【００６９】
以上説明したように、第１実施形態に係るインターホンシステム１は、各住居に取り付けられ、操作部５２とカメラ５６とを有する複数の玄関子機５と、対応する玄関子機５に関連付けられ、関連付けられた玄関子機５と通信可能に構成される複数の居室親機２と、対応する玄関子機５に関連付けられた複数の情報端末３と、記憶部４２を有し、複数の居室親機２と複数の情報端末３と通信可能であるサーバ４とを備える。サーバ４は、複数の玄関子機５から玄関子機５の識別情報およびカメラ５６によって撮像された画像データを関連付けられた複数の居室親機２を介して受信し、複数の情報端末３または複数の居室親機２から関連付けられた玄関子機５のカメラ５６によって撮像された画像データの来訪者区分の情報を受信し、画像データおよび対応する来訪者区分の情報を玄関子機５の識別情報に関連付けて記憶部４０に記憶する。
【００７０】
これにより、各玄関子機５のカメラ５６によって撮像された画像データおよびその来訪者区分の情報をサーバ４の記憶部４０に記憶することにより、複数の玄関子機５に関連する情報を一括管理することができ、地域の防犯力の向上に寄与可能な構成を備えたインターホンシステム１を提供することができる。
【００７１】
（第２実施形態）
図８は、第２実施形態に係るドアベルシステムの構成を示す図である。第２実施形態では、第１実施形態と同一・同様な要素及び同一・同様な工程については、その詳しい説明を省略する。特に、情報端末３の来訪者区分の分類・選択機能の動作および不審者情報共有化機能の動作は、第１実施形態と同様な動作を行うため、その詳しい説明を省略する。
【００７２】
図８に示すように、ドアベルシステム１００は、複数のドアベル６−１〜６−ｎと、複数の情報端末３−１〜３−ｎ（外部機器の一例）と、サーバ４とを含む。複数のドアベル６−１〜６−ｎと、複数の情報端末３−１〜３−ｎとは、ネットワークＮを介して、外部ネットワーク上にあるサーバ４と通信可能である。各ドアベル６−１〜６−ｎおよび各情報端末３−１〜３−ｎとネットワークＮとを中継する通信機器としては、例えば、Ｗｉ−Ｆｉルータが用いられ得る。以下では、複数のドアベル６−１〜６−ｎのうちドアベル６−１（以下、ドアベル６と称する）について代表して説明する。また、複数の情報端末３−１〜３−ｎのうち情報端末３−１（以下、情報端末３と称する）について代表して説明する。
【００７３】
図９は、ドアベル６の構成を示す機能ブロック図である。
ドアベル６は、来訪者が居住者を呼び出して通話するためなどに用いられるものであり、例えば各建物（戸建住戸など）の玄関等に設置されている。本例では、複数のドアベル６−１〜６−ｎは、ある所定の範囲（所定の地域）内にある各建物の玄関に設置されているものとする。各ドアベル６は、取り付けられる建物の電力システムと所定の配線により電気的に接続されることで、当該電力システムから電力が供給される。なお、ドアベル６は、バックアップおよび／または一次電源用の電池を含んでも良い。
【００７４】
図９に示すように、ドアベル６は、制御部６１と、操作部（呼出ボタン）６２と、マイク６３と、スピーカ６４と、人感センサ６５と、カメラ６６と、画像処理部６７と、位置情報取得部６８と、Ｉ／Ｆ６９とを備えている。
【００７５】
制御部６１は、ドアベル６の各部の動作を制御するための制御部であり、例えば、１以上のプロセッサと１以上のメモリを含む少なくとも一つのマイクロコントローラと、トランジスタ等のアクティブ素子およびパッシブ素子を含むその他電子回路から構成されている。また、制御部６１は、集積回路（ハードウェア資源）によって構成されてもよく、少なくとも一つのマイクロコントローラと集積回路との組み合わせによって構成されてもよい。
【００７６】
操作部６２は、来訪者の各種入力操作を受け付ける。各種入力操作には、例えば、居住者の呼出等が含まれる。操作部６２は、制御部６１を介して、カメラ６６に接続されている。操作部６２は、呼出の入力操作がなされたことを知らせる呼出信号をカメラ６６へ出力する。マイク６３およびスピーカ６４は、居住者（本例では、ドアベル６が設置された建物の居住者が所有する情報端末３）に向けて来訪者側のメッセージ等の音声データを送出したり、来訪者に向けて居住者側のメッセージ等の音声データを出力するための通話部を構成する。
【００７７】
人感センサ６５は、ドアベル６の前方にいる人物を感知するためのセンサであり、例えば赤外線センサで構成されている。人感センサ６５は、制御部６１を介して、カメラ６６に接続されている。人感センサ６５は、人物を感知したことを知らせる検出信号をカメラ６６へ出力する。
【００７８】
カメラ６６は、来訪者等の人物を撮像するための撮像機器である。カメラ６６は、ウェブカメラであるビデオカメラとして構成しても良い。例えば、カメラ６６は、人感センサ６５から出力される検出信号に基づいて起動する。あるいは、操作部６２から出力される呼出信号に基づいて起動してもよい。カメラ６６が撮像した画像は、画像処理部６７へ出力される。画像処理部６７は、例えば、プロセッサとメモリから構成されており、制御部６１の制御信号に基づいて、カメラ６６から取得した画像データを、Ｉ／Ｆ６９を介してサーバ４へ送信する。
【００７９】
位置情報取得部６８は、ドアベル６の位置情報を取得するように構成されている。位置情報は、例えば、ＧＰＳを用いて取得される。なお、ドアベル６を建物に設置する際の初期設定時に、居住者によって、ドアベル６の位置情報が位置情報取得部６８に予め登録されてもよい。制御部６１は、位置情報取得部６８により取得された位置情報を、サーバ４へ送信するように構成されている。なお、ドアベル６の位置情報が更新された場合には、制御部６１は、更新された位置情報をサーバ４へ送信し得る。
【００８０】
Ｉ／Ｆ６９は、ネットワークＮを介して、サーバ４と通信可能である。このように、ドアベル６は、サーバ４に対して所定のデータ（例えば、音声データや画像データ）を送信し、来訪者と、情報端末３のユーザとの間での双方向音声通話等による通信を開始することができる。なお、ドアベル６のＩ／Ｆ６９は、情報端末３と直接通信可能に構成されてもよい。
【００８１】
情報端末３は、ドアベル６からの呼び出しに、ドアベル６が設置された住居の居住者（ユーザ）が応答するためなどに用いられる機器である。情報端末３は、例えば、居住者が所有するスマートフォン、タブレットコンピュータ、およびその他の携帯情報端末を含む。ドアベル６と情報端末３とは、サーバ４を介して通信可能である。
【００８２】
サーバ４は、記憶部４０と、制御部４２とを備えている。制御部４２は、ドアベル６から送信されたデータ（例えば、画像データや音声データ）を記憶部４０へ記憶するとともに、当該データを情報端末３へ送信可能である。また、制御部４２は、情報端末３から送信されたデータを記憶部４０へ記憶するとともに、当該データをドアベル６へ送信可能である。このように、サーバ４は、所定のデータ（例えば、音声データや画像データ）をドアベル６および情報端末３との間で送受信することにより、ドアベル６が設置された建物への来訪者と情報端末３のユーザとの間での双方向音声通話等による通信を開始することができる。
【００８３】
また、記憶部４０には、各ドアベル６に対応した来訪者フォルダが記憶されている（図１０参照）。来訪者フォルダは、来訪者区分（例えば、新規、家族、知人、業者、不審者）に対応する複数のサブフォルダを有している。各サブフォルダには、ドアベル６のユーザが情報端末３の来訪者区分選択部３９を介して来訪者区分に分類・選択した画像データが記憶されている。制御部４２は、ドアベル６から受信したデータおよび対応する情報端末３から受信した来訪者区分の情報に基づいて、記憶部４０に記憶されている来訪者フォルダを更新する。なお、来訪者フォルダの代わりに、各ドアベル６に対応する来訪者テーブルが記憶されていてもよい。
【００８４】
また、制御部４２は、あるドアベル６に対応する「不審者」のサブフォルダに画像データが含まれている場合には、他のドアベル６のユーザ（例えば、情報端末３）に画像データを含む不審者情報を送信する。これにより、ドアベルのユーザは、他のドアベル６５のカメラ６６により撮像され不審者として分類された画像データを確認することができ、必要に応じて、該画像データを来訪者区分に分類・選択し、自己の来訪者フォルダに記憶することができる。
【００８５】
次に、図１１を参照して、ドアベルシステム１００により実行される来訪者区分分類機能の動作について説明する。
【００８６】
まず、ドアベル６の制御部６１は、操作部６２による来訪者からの呼出操作がなされたか否かを判定する（ステップＳ３１）。ステップＳ３１において、来訪者からの呼出操作がなされたと判定した場合（ステップＳ３１のＹｅｓ）、制御部６１は、呼出信号をカメラ６６へ出力し、カメラ６６は、玄関子機６の前方領域（具体的には、来訪者）の撮像を開始する（ステップＳ３２）。なお、人感センサ６５が来訪者を感知したと判定した場合も同様に、制御部６１は、検知信号をカメラ６６へ出力し、カメラ６６は、ドアベル６の前方領域の撮像を開始する。
【００８７】
次に、カメラ６６は、撮像した画像データを画像処理部６７へ送信する（ステップＳ３３）。制御部６１は、画像処理部６７が受信した画像データをドアベル６の識別情報と共にＩ／Ｆ６９を介してサーバ４に送信する（ステップＳ３４）。なお、制御部６１は、来訪者側のメッセージ等の音声データがある場合には、音声データは画像データと共にサーバ４へ送信する。
【００８８】
次に、サーバ４の制御部４２は、ドアベル６から受信したデータ（例えば、画像データおよび音声データ）を情報端末３へ送信する（ステップＳ３５）。情報端末３のユーザは、サーバ４の制御部４２から受信したデータに対して、ユーザ・インターフェース３２を介して所定の応答操作（通話や電気錠の解錠等）を行う（ステップＳ３６）。
【００８９】
次に、サーバ４の制御部４２は、ドアベル６から受信したドアベル６のカメラ６６で撮像された画像データの人物がすでに来訪者区分に分類されているか否かを判定する（ステップＳ３７）。例えば、ドアベル６のカメラ６６で撮像された画像データと記憶部４０に記憶された来訪者フォルダの各来訪者区分に対応するサブフォルダに記憶されている画像データと比較し、顔認証を行う。ステップＳ３７において、画像データに含まれる人物が来訪者区分に分類されていないと判定された場合には（ステップＳ３７のＮｏ）、制御部４２は、ドアベル６のカメラ６６で撮像された画像データを、「新規」のサブフォルダに記憶する（ステップＳ３８）。情報端末３のユーザは、ステップＳ３６において、所定の応答操作が終了すると、サーバ４の制御部４２に「新規」のサブフォルダに記憶された画像データの送信を要求する要求信号を送信する（ステップＳ３９）。サーバ４の制御部４２は、情報端末３からの画像データ送信要求信号に基づいて「新規」のサブフォルダに記憶された画像データを情報端末３へ送信する（ステップＳ４０）。なお、画像データ自体ではなく画像データのアドレス情報を送信してもよい。
【００９０】
情報端末３のユーザは、サーバ４から受信した画像データを、ユーザ・インターフェース３２の来訪者区分選択部３９により来訪者区分に分類・選択し（ステップＳ４１）、当該来訪者区分の情報をサーバ４へ送信する（ステップＳ４２）。次に、サーバ４の制御部４２は、情報端末３から受信した来訪者区分の情報に基づいて「新規」のサブフォルダに記憶されている画像データを、所定の来訪者区分のサブフォルダに移動させる（ステップＳ４３）。なお、来訪者フォルダの代わりに、来訪者テーブルを用いる場合には、サーバ４の制御部４２は、情報端末３から受信した来訪者区分の情報に基づいて来訪者区分を「新規」から所定の来訪者区分に書き換える。
【００９１】
なお、情報端末３のユーザは、所定の応答操作後に、画像データを所定の来訪者区分に分類していたが、これに限定されない。例えば、情報端末３のユーザは、呼出時（所定の応答操作を行う前）に、画像データを所定の来訪者区分に分類・選択して来訪者区分の情報をサーバ４へ送信してもよい。この場合には、サーバ４の制御部４２は、画像データを「新規」のサブフォルダに記憶する代わりに、情報端末３から受信した来訪者区分の情報に基づいて、所定の来訪者区分のサブフォルダに記憶させてもよい。
【００９２】
また、ステップＳ３９、Ｓ４０において、サーバ４の制御部４２は、情報端末３からの要求信号に基づいて画像データを送信しているが、情報端末３からの要求信号なしに、所定の期間経過後に、情報端末３に「新規」のサブフォルダに記憶された画像データを送信してもよい。
【００９３】
また、サーバ４の制御部４２は、ステップＳ３７において、画像データに含まれる人物が来訪者区分に分類されていると判定した場合には（ステップＳ３７のＹｅｓ）、画像データの来訪者区分の情報を、ドアベル６へ送信してもよい。これにより、ドアベル６は、来訪者区分の情報に応じて所定の動作を行うことができる。
【００９４】
また、サーバ４の制御部４２は、ステップＳ３５において、ドアベル６から受信したデータを情報端末３へ送信しているが、ステップＳ３７での判定結果に基づいて、ドアベル６から受信したデータを情報端末３へ送信してもよい。例えば、来訪者区分が「不審者」の場合に、情報端末３での呼び出しに対する応答操作を行わない構成とすることにより、不審者の呼び出しを防止することが可能となる。
【００９５】
次に、ドアベルシステム１００により実行される不審者情報共有化機能の動作について説明する。
まず、サーバ４の制御部４２は、記憶部４０に記憶されている、ある所定の範囲（所定の地域）内に設置された複数のドアベル６−１〜６−ｎの来訪者フォルダの「不審者」のサブフォルダに記憶されている画像データを他のドアベル６のユーザへ送信済みか否かを判定する。例えば、制御部４２は、定期的に、各ドアベル６の「不審者」のサブフォルダを確認し、その中に記憶されている画像データがすでに他のドアベル６の対応する情報端末３へ送付済みか否かを判定する。
【００９６】
「不審者」のサブフォルダに記憶された画像データが他のドアベル６に対応する情報端末３へ送信されていないと判定した場合、制御部４２は、画像データを含む不審者情報を、他のドアベル６に対応する情報端末３に送信する。あるいは、ドアベル６のユーザが「不審者」のサブフォルダに画像データを登録したときに、他のドアベル６に対応する情報端末３に画像データを含む不審者情報を送信してもよい。
【００９７】
画像データを含む不審者情報を受信した情報端末３のユーザは、受信した画像データを自身の来訪者フォルダに登録・記憶する場合、来訪者区分選択部３９を操作することにより、所定の来訪者区分に分類・選択し、分類した来訪者区分の情報をサーバ４の制御部４２へ送信する。
【００９８】
サーバ４の制御部４２は、情報端末３から受信した来訪者区分の情報に基づいて、送信元の情報端末３に対応するドアベル６の来訪者フォルダの所定の来訪者区分のサブフォルダに画像データを記憶する。これにより、ドアベル６のユーザは、他のドアベル６のユーザが不審者として分類した不審者情報を確認することができ、また、必要であれば、自分の判断基準で、画像データを来訪者区別に分類することができる。
【００９９】
以上説明したように、第２実施形態に係るドアベルシステム１００は、各住居に取り付けられ、操作部６２とカメラ６６とを有する複数のドアベル６と、対応する複数のドアベル６に関連付けられた複数の情報端末３と、記憶部４０を有し、複数のドアベル６と複数の情報端末３と通信可能であるサーバ４とを備える。サーバ４制御部は、複数のドアベル６からドアベル６の識別情報およびカメラ６６によって撮像された画像データをそれぞれ受信し、複数の情報端末３から関連付けられたドアベル６のカメラ６６によって撮像された画像データの来訪者区分の情報をそれぞれ受信し、画像データおよび対応する来訪者区分の情報をドアベル６の識別情報に関連付けて記憶部４０に記憶する。
【０１００】
これにより、各ドアベル６のカメラ６６によって撮像された画像データおよびその来訪者区分の情報をサーバ４の記憶部４０に記憶することにより、複数のドアベル６に関連する情報を一括管理することができ、地域の防犯力の向上に寄与可能な構成を備えたドアベルシステム１００を提供することができる。
【０１０１】
なお、本発明は、上述した実施形態に限定されず、適宜、変形、改良等が自在である。その他、上述した実施形態における各構成要素の材質、形状、寸法、数値、形態、数、配置場所等は、本発明を達成できるものであれば任意であり、限定されない。
【０１０２】
上記の第１実施形態では、玄関子機５の人感センサ５５により来訪者が感知された場合、居住者の呼び出しを行っているが、この例に限られない。例えば、居室親機２の制御部２１は、人感センサ５５にて感知されてカメラ５６により撮像された画像データを受信すると、記憶部２８に予め記憶している画像データおよび来訪者情報に基づいて受信した画像データの認証（例えば、顔認証）を行い、認証が成立した場合のみ、居住者の呼び出し（図６のステップＳ５以降）を行ってもよい。また、居室親機２の制御部２１は、画像データと共に来訪者情報を含む認証結果をサーバ４へ送信し、サーバ４の制御部４２は、居室親機２から受信した認証結果に基づいて記憶部４０に記憶された来訪者フォルダの更新やステップＳ８の判定を行うように構成されてもよい。例えば、居室親機２から受信した認証結果に含まれる来訪者情報が「家族」である場合には、制御部４２は、来訪者区分が「家族」のサブフォルダに画像データを記憶し、ステップＳ８で来訪者区分がすでに分類されている（ステップＳ８のＹｅｓ）と判定してもよい。
【０１０３】
同様に、上記の第２実施形態では、ドアベル６の人感センサ６５により来訪者が感知された場合に、呼び出しを行っているが、この例に限られない。例えば、ドアベル６の画像処理部６７は、人感センサ６５にて感知されてカメラ６６により撮像された画像データを受信すると、予め記憶している画像データおよび来訪者情報に基づいて受信した画像データの認証（例えば、顔認証）を行い、認証が成立した場合のみ、居住者の呼び出し（図１１のステップＳ３４以降）を行ってもよい。また、ドアベル６の画像処理部６７は、画像データと共に来訪者情報を含む認証結果をサーバ４へ送信し、サーバ４の制御部４２は、ドアベル６から受信した認証結果に基づいて記憶部４０に記憶された来訪者フォルダの更新やステップＳ３７の判定を行うように構成されてもよい。
【符号の説明】
【０１０４】
１：インターホンシステム、２：居室親機、３：情報端末（外部機器の一例）、４：サーバ、５：玄関子機、６：ドアベル、２１：制御部Ｕ、２２：操作部、２３：マイク、２４：スピーカ、２５：表示部、２６：インターフェース回路、２７：インターフェース回路、２８：記憶部、３０：表示部、３２：ユーザ・インターフェース、３４：画像表示部、３６：応答許可受付部、３８：録画受付部、３９：来訪者区分選択部、４０：記憶部、４２：制御部、６１：制御部、６２：操作部、６３：マイク、６４：スピーカ、６５：人感センサ、６６：カメラ、６７：画像処理部、６８：位置情報取得部、６９：インターフェース回路、１００：ドアベルシステム
【図１】
2019146081.tif 000003
【図２】
2019146081.tif 000004
【図３】
2019146081.tif 000005
【図４】
2019146081.tif 000006
【図５】
2019146081.tif 000007
【図６】
2019146081.tif 000008
【図７】
2019146081.tif 000009
【図８】
2019146081.tif 000010
【図９】
2019146081.tif 000011
【図１０】
2019146081.tif 000012
【図１１】
2019146081.tif 000013